(57)【特許請求の範囲】
【請求項１】
少なくとも２つの文字領域を有する文字モデルを生成する文字発生器を含み、
ページの水準より高い属性水準を有する単一の色属性が、前記属性水準に対応する全ての文字の全ての領域の色属性の置き換えとして代用され、
所定の文字に対応する各文字領域を視覚的に識別できるように、各文字領域に対して異なる輝度値が選択されることを特徴とするビデオシステム用文字の色コード化方法。
【請求項２】
前記色属性は、最も高い水準の属性である請求項１記載の方法。
【請求項３】
前記色属性は、文字の前景の色を規定する属性である請求項１記載の方法。
【請求項４】
視認可能な色欠陥が生じる色の通過帯域幅であるという基準によりビデオ信号がコード化されるビデオシステムに適用されることを特徴とする請求項１記載の方法。
【請求項５】
前記ビデオ信号は、ＳＶＨＳビデオ信号か、ＰＡＬ、ＮＴＳＣまたはＳＥＣＡＭの複合ビデオベースバンド信号であることを特徴とする請求項４記載の方法。
【請求項６】
少なくとも２つの領域を有する文字のモデルを含み、ページの水準より高い属性水準を有する単一の色属性が、前記属性水準に対応する全ての文字の全ての領域の色属性の置き換えとして代用され、
所定の文字に対応する各文字領域を視覚的に識別できるように、各文字領域に対して異なる輝度値が選択される文字発生器装置であって、
ページ水準より高い属性水準の前記単一の色属性の値と共に表示されるべきテキストを記憶するＲＡＭと、
前記ＲＡＭの出力を受け入れるように接続され、前記文字のモデルを記憶するＲＯＭと、
前記ＲＯＭの出力を受け入れるように接続され、挿入信号を生成する色回路手段と、
前記ＲＯＭの出力を受け入れるように接続され、前記テキストの輝度に対応させた輝度信号を生成する輝度信号生成用発生器と、
前記色回路手段に接続され、前記テキストの色に対応させた色信号を発生されるコーダ手段と、
前記輝度信号および前記色信号を受信して、前記輝度信号、前記色信号およびこれらの合成信号のうちの１つを入力ビデオ信号の中に挿入する挿入回路と、
前記ＲＡＭに接続され、それぞれの領域に対応する他の色属性の代わりに、前記単一の色属性に従った前記複数の領域を着色するためにページの水準よりも高い属性水準の前記単一の色属性を提供するマルチプレックス手段と、
を備えることを特徴とする文字発生器装置。
【請求項７】
少なくとも２つの領域を有する文字のモデルを生成でき、ページの水準より高い単一の色属性の水準が前記ページの水準に対応する全文字の全領域の色を決定するために用いられ、所定の文字に対応する各文字領域を視覚的に識別できるように、各文字領域に対して異なる輝度値が選択される文字発生器装置であって、
ページ水準より高い属性水準の前記単一の色属性の値と共に表示されるべきテキストに対応する文字を記憶するＲＡＭと、
文字のモデルを記憶するＲＯＭと、
前記ＲＯＭに格納された文字のモデルと前記ＲＡＭに格納された色属性とに基づいて、表示されるべきテキストに対応するＲＧＢ信号と挿入信号とを生成する色回路手段と、
前記ＲＯＭに格納された文字モデルに基づいて前記テキストの輝度に対応する輝度信号を生成する輝度信号生成用発生器と、
を備えることを特徴とする文字発生器装置。
【発明の詳細な説明】
【０００１】
【産業上の利用分野】
本発明は、ビデオイメージに包まれたテキスト文字の色、または正常なビデオイメージに置換えるテキストの色をコーディングする方法に関する。また、本発明は、この方法を使用する文字発生装置を含む。
【０００２】
【従来の技術】
市場には、ビデオテープレコーダ、レーザディスクリーダ及びエンクリプトテレビジョンのようなビデオ処理装置において使用される多数の文字発生集積回路が存在する。多くの場合、これらの回路は、表示されたテキストに対応するＲＧＢ信号を発生し、その信号はプログラムに対応するＲＧＢ信号に包まれる。他の装置は入力信号に置換わる完全なビデオ信号を発生する。発生回路がテレビ受信機に含まれる場合、結果として生じる信号はＣＲＴまたは他のディスプレイ装置を制御する回路に直接伝達される。発生回路が、受信機に取り付けられた周辺装置に含まれるときは、テキストまたは完全なイメージに対応するＲＧＢ信号が、具備されたコネクタ、例えばＳＣＡＲＴプラグを介して受信機に送られる。
【０００３】
特に、ヨーロッパ以外のテレビ受信機は、ＳＣＡＲＴまたは同様なプラグを具備していない。したがって、信号を受信機に送るために、例えばアンテナプラグを利用することが必要になる。この場合、ＰＡＬ，ＳＥＣＡＭまたはＮＴＳＣのような特別の複合ビデオ基準を使用してＲＧＢ信号をコード化して主なもののみを呼ぶ必要がある。
【０００４】
大部分のテレビジョンのイメージと異なり、テキストは非常に速い色の遷移を含む。もしイメージエレメントの最小の幅を考慮するならば、色パスバンドは約４ＭＨｚである。この値は、ＲＧＢ信号に関する問題を提起しないが、これは特別の標準のコーディングを使用しない場合である。ＰＡＬ及びＳＥＣＡＭにおいては、色パスバンドは１ＭＨｚに制限される。同じことがＹ／Ｃ信号の形態におけるコーディングにおいても言える。
【０００５】
ディスプレイの欠陥は、色の遷移の迅速さそれ自身によってスクリーンに現れ、テレビジョンは、色及び輝度を別に処理するから、発生する遅延は同じではなく、この差を補償するために遅延ラインが含まれる。この遅延ラインの正確さは正常なイメージにおいては十分であるが、テキストにおいては十分ではなく、色及び輝度はスクリーン上で位相がずれて見える。
【０００６】
色が不鮮明な状態及び誤った色の状態の他の２つの欠陥は、信号のコーディング中の輝度のパスバンドの制限によるものである。
【０００７】
一般的に、文字発生回路は、利用可能な文字のモデルを記憶するＲＯＭタイプメモリを具備している。各文字は画素のマトリックスによって表される。もし、文字の前景から文字の背景を識別する必要があるならば、２次元マトリックスで十分である。しかしながら、それは、さらに、境界の色のような文字の他の特徴をコード化する必要がある。識別すべき文字によって、各画素をコード化するのに必要なビット数が増大し、マトリックスは３次元になる。
【０００８】
文字の２つの例が図１に示されている。各文字は、１２画素（横座標）と１８ライン（座標Ｙ）のマトリックスによって表される。３つの明瞭な領域、背景１、前景２及び境界３が示されている。したがって、各画素をコード化するために２ビットが必要になる。
【０００９】
公知の実施例において、境界の領域は、公知のタイプの検出アルゴリズムを使用する輪郭検出によって決定される。次に、ＲＯＭは、２つの領域のモデルを含み、第３の領域は、他の領域から計算され、それによってＲＯＭの記憶領域を節約する。そうでなければ、輪郭検出回路の出力において画素毎に２ビットが必要になる。
【００１０】
スクリーン上の文字の表現は、一般に属性と称されるパラメータによって決定される。例えば、属性は、先に規定した文字のモデルの領域の１つの色を規定することができる。本例において、ページ属性、列属性及び文字属性の間の区別を行う。ページ属性は、「列水準」のものである。なぜならばこのパラメータの変化は、テキストのページ（スクリーン）全ての表現を変化させる。他方、文字属性は、「高水準」である。なぜならば、それは、各文字において独立して規定されるからである。高水準の属性は、低い水準のものよりさらにメモリ（ＲＡＭ）を要求することは明瞭である。
【００１１】
一般的に、コスト上の理由によって文字の背景及び境界の背景は、ページ属性であり、表示された全ての文字の背景の色、すなわち、全体のページは同じであり、各文字の色は異なる。
【００１２】
ＣＶＢＳまたはＹ／Ｃの信号を発生しなければならないとき、色の遷移は、先に述べた色の欠陥が現れることを制限するために制限される。
【００１３】
使用される１つの解決法は、全ての文字の領域に同じ色を与えることを含み、全体のテキストは、モノクロである。文字領域は、それらの異なる輝度によって識別され、輝度は、文字モデルの色とは独立して規定される。
【００１４】
例えば、テキストの１ページは、ダークグリーンの背景を有するが、全ての文字の前景及び境界は明るいグリーンである。
【００１５】
他の解決法は、色の選択を黒、白及びグレイの水準に制限することである。双方の場合、回路の適用可能性は、特にＲＧＢの色の可能性と比較して開発中である。
【００１６】
【発明が解決しようとする課題】
本発明の目的は、色の欠陥を低減し、または無くしながら、無視できる程のコストによって文字のカラーリングの可能性を改良することである。
【００１７】
【課題を解決するための手段】
本発明に係るビデオシステム用文字色コード化方法は、少なくとも２つの領域を有する文字のモデルを利用する文字発生器を含み、ページの水準より高い水準を有する単一の色属性が、前記色属性の水準に対応する全ての文字の全ての領域の色属性の置き換えとして構成され、文字領域の各々において選択された輝度値は、与えられた文字のために、それらが同じ色であるとき、前記文字領域が視覚的に識別可能であることを特徴とする。
【００１８】
好ましい実施例において、色属性は、最も高い水準の属性である。これは最小限のメモリの要求において色の最大の選択可能性を与えるものである。
【００１９】
この方法において、低い水準または同じ水準の属性の水準を人工的に増加する。
与えられた文字において、背景、境界及び前景の色は、同一である。他方、最も高い水準の属性は、文字属性であるならば、文字の色つきのモザイクを得ることができる各文字において異なる色を選択することが可能になる。与えられた文字の異なる領域間の目による識別は文字モデルの領域に対する少なくとも２つの異なる輝度水準を振分けることによって補償される。
【００２０】
制限を考慮すると、色の選択に関しては、従来の技術によって使用される方法におけるものよりも制限を受けない。与えられた文字の全ての領域において１つの色の負荷の制限は、文字の色の欠陥を自動的に消去する。それらが同じ色でない限り、文字間の境界の欠陥が残る（図１の参照符号４参照）。しかしながら、これらの欠陥は、それらが完全に垂直方向に整合する場合ほど深刻なものではない。
【００２１】
本発明の望ましい実施例において、その値が他方に付与される色属性は、列属性である。この場合、文字間の境界に色の欠陥が現れ、色は、文字の各完全な列において同じである。
【００２２】
その値が他方に付与される色属性が文字属性であるとき、勿論、全体の列において同じ値を選択することができ、その場合（列属性の場合）、色は文字全体の列と同じである。
【００２３】
本発明を実行し、従来技術と比較して色の選択を改良するために、文字の前景の色属性は列属性または文字属性のいずれかであれば十分である。実際には、これは、文字の各列または各文字毎に、この属性のための値を記憶する十分なメモリを適当なＲＡＭに確保しなければならないことを示す。次に、本発明による文字を表示するために、色のコーディングの回路は、この前景属性を考慮に入れず、他の色属性（背景、境界または他のもの）に同じ値を与える。
【００２４】
ＲＧＢ信号を発生する装置において本発明による装置を実行することが特に有利で簡単である。もし、このような装置が既に文字または列の水準で前景の色属性を使用するならば、特別のＲＡＭが必要になるからである。
【００２５】
文字のモデルが前景及び背景を有するが境界領域を有さない場合にも適用することができることは明らかである。
【００２６】
特定の実施例において、本発明は、色パスバンドが、見ることができる色の欠陥を生じる基準によってビデオ信号をコード化しなければならないとき、本発明を使用することができる。
【００２７】
特別な実施例において、本発明は、ＰＡＬ，ＳＥＣＡＭ，ＮＴＳＣ，またはＳＶＨＳによってビデオ信号をコード化しなければならないときに、使用することができる。
【００２８】
また、本発明に係る文字発生器装置は、少なくとも２つの領域を有する文字のモデルを利用する文字発生器を含み、ページの水準より高い水準を有する単一の色属性が前記色属性の水準に対応する全ての文字の全ての領域の色属性の置き換えとして構成され、文字領域の各々において選択された輝度値は、与えられた文字のために、それらが同じ色であるとき前記文字領域が視覚的に識別可能である文字発生器装置において、少なくともページ水準よりも高い水準の前記単一の色属性の値と共に表示されるべきテキストを記憶するＲＡＭと、前記ＲＡＭの出力を受け入れるように接続され、前記文字のモデルを記憶するＲＯＭと、前記ＲＯＭからの出力を受け入れるように接続され、挿入信号を生成する色回路手段と、前記ＲＯＭの出力を受け入れるように接続され、前記テキストの輝度に対応させた輝度信号を生成する輝度信号生成用発生器と、前記色回路手段に接続され、前記テキストの色に対応させた色信号を発生させるコーダ手段と、前記輝度信号および前記色信号を受信して、前記輝度信号、前記色信号およびこれらの合成信号のうちの１つを入力ビデオ信号の中に挿入する挿入回路と、前記ＲＡＭに接続され、それぞれの領域に対応する他の色属性の代わりに、前記単一の色属性に従った前記複数の領域を着色するためにページの水準よりも高い水準の前記単一の色属性を提供するマルチプレックス手段と、を備えることを特徴とする。
【００２９】
【実施例】
以下、本発明の一実施例について図面を参照しつつ詳細に説明する。
以下に説明する特定の実施例は、複合ビデオベースバンド信号（ＣＶＢＳ）に関係するが、本発明は、このような信号に制限されない。
【００３０】
テキスト発生器は、通常、テレビジョンで使用される装置であり、例えば、次の回路、日立  ＨＤ４９４７０、ＮＥＣ  ＰＤ６４５０、三菱  Ｍ５０５５７かそのような装置に相当するものである。次の説明において、本発明に対して特定の部品のみを詳細に説明する。例えば、テキスト挿入回路それ自身は、公知のタイプである。
【００３１】
図２に示すような、本発明による方法を利用する装置は入力コンタクト５を含む。コンタクト５はクランプ回路６に接続され、その機能は黒の基準テンションでＣＶＢＳ信号をクランプすることである。このクランプ回路はクランピングキャパシティ（図示せず）を含む。クランプされた信号は挿入回路７に送られるようになっており、この挿入回路７が、クランプされたビデオ信号の表示すべきテキストに対応する信号を挿入するか、この信号を全体がテキスト発生器によって発生された信号によって置き換えるかのいずれかの役割を果たすようになっている。このクランプ信号は複合同期エクストラクション回路８に送られ、その回路８はライン及びフレームの同期信号を引出す。この情報を使用することによって、位相固定ループ９及び垂直同期分離器１０がフレーム、ライン及び画素のクロックパルスを形成することとなる。これらのクロック信号は装置の付属部分によって使用される。特に、それらはアドレス発生回路１１によって使用され、その回路１１はイメージ領域を文字の場所に対応する矩形に分割する。アドレス発生器１１はクロック信号を使用し、処理される画素の位置を決定するカウンタを含む。処理される画素の位置の関数として文字の位置を与える対応テーブルにアクセスすることによって、回路１１は、この位置に対応するＲＡＭ１２内のアドレスを定める。このＲＡＭ１２は、例えばＡＳＣＩＩコードの形態の表示すべきテキストを記憶する。ＲＡＭ１２内のアドレス記憶場所は、この場所にテキストが無いことを指示する文字またはコードを提供する。
【００３２】
また、ＲＡＭ１２は文字水準の属性を含む。本例において前景の色属性がそれに相当する。
【００３３】
もし、利用可能な文字の組が１２８文字を含み、テキストの完全なページの最大の大きさが２８×１１文字であるならば、ＲＡＭ１２の大きさは２８×１１＝３０８個の７ビットの記憶場所がなければならない。「テキストが無い」コードは、この文字の組に含まれる。各文字において８つの代わりの色の選択を行うために、色属性コードを記憶するために記憶場所毎に特別な３ビットが必要になる。
【００３４】
アドレス発生器１１によってアドレスが付与されたＲＡＭ１２内の記憶場所に収容された文字コードはＲＯＭ１３に送られ、前景の色属性は色の論理回路１４に供給される（図２のライン２１）。ＲＯＭ１３は前述した文字モデルを含む。モデルが１２画素の１８ラインであるならば、３つの領域（前景、境界及び背景）の最大値において、このＲＯＭは１２８×１８×１２の２ビットの場所を必要とする。
【００３５】
表示すべき文字に対応するこのＲＯＭ１３からの画素コードを使用して、輝度及び同期回路１５は挿入または表示すべきテキストに対応する輝度信号Ｙを発生する。この信号は装置のクロック信号に基礎を置いたライン及びフレーム同期を含む。このライン１６及び１７は文字の種々の領域の輝度のスレッショルドに対応するテンションを回路１５に適用する。実施例の変形例において、これらのテンションは一定であり、回路１５に内蔵されている信号源によって提供される。
【００３６】
輝度スレッショルドに対応するテンションは、モノクロで表示される文字を容易に読取ることができるように選択される。例えば２つの領域、前景及び背景を有する文字のモデルにおいて、ダークグレイに対応する背景のテンションと、白に対応する前景のテンションとを選択する。
【００３７】
また、装置は色の論理回路１４を含む。これはＲＯＭ１３から情報を受取る。マルチプレクス回路２３は、ＲＡＭ１２からの文字属性か、またはページ属性を記憶するために使用されるレジスタ２２内に含まれる値のいずれかを回路１４に送る。この例において、後者の属性は境界及び背景の色である。実施例の変形例において、これらの２つの属性は各々３ビットを使用してコード化される。
【００３８】
これらのレジスタの内容及びＲＡＭ１２の内容は制御回路１８によって公知の方法で制御される。１つの特定の実施例において、マイクロプロセッサがその制御回路に相当するものである。
【００３９】
色の論理回路１４は、表示すべきテキストの完全なＲＧＢ信号及び「ファーストブランキング」（ＦＢ）信号を発生する。挿入信号のこの発生は他の回路によって行われてもよいが、ダイヤグラムを明瞭にする目的で回路１４がこの課題を実行する。コーダ１９はＲＧＢ信号を検出し、必要な基準により色をコード化する（例えば、ＰＡＬ及びＮＴＳＣにおいて振幅変調された色、ＳＥＣＡＭにおいて周波数変調された色）。この色信号は図２においてＣとして示されている。この回路１９は色副搬送波ＦP の周波数を提供する入力を含む。
【００４０】
色信号、輝度信号Ｙ及び挿入信号ＦＢは挿入回路７によって処理される。テキストを表す情報の挿入は共通のコンタクトが回路７のビデオ出力２０に永久的に接続されている２方向のスイッチによって実行される。挿入信号ＦＢによって制御されるスイッチは２つのコンタクトの間を切替えることができ、その一方は、クランプビデオ信号を搬送し、他方は、信号Ｙまたは信号Ｙ及び信号Ｃの合成信号を搬送する。挿入回路７は２つの操作モードを有し、一方の動作モードは「ミクスモード」として、他方の動作モードは「フルページ」として知られる。ミクスモードは、マルチプレクシングの際、テキストに対応する信号を有する入力信号からなる。この場合の挿入信号は常に作動状態である。このモードは制御回路１８のＭＯＤＥ制御ラインを介して選択される。
【００４１】
本発明による装置は２つの動作モードを有する。一つの動作モードにおいて、この技術分野の専門家において知られるように、この例において、前景の色属性（文字水準属性）は各文字の前景の色を独立して決定することができるようにし、境界及び背景の色属性（ページ水準属性）はスクリーン上の文字の全てについて境界及び背景の色を決定する。このモードにおいて、マルチプレクス２３は、レジスタ２２に含まれる値を色回路に送る。
【００４２】
他方の動作モードにおいては、レジスタ２２に記憶された属性は使用されない。ＲＡＭ１２から得られ、マルチプレクス２３を介してカラー回路１４に送られた前景の色属性の値は、それがあたかもレジスタ２２から来たように正確に処理される。
【００４３】
特に実施例において、回路１８のレジスタにおける１ビットが、必要な動作モードを指示する。もし、このビットならば、その値はいくつかの方法で設定される。１つの解決法は、遠隔制御を介して値を設定するものへの選択の余地を残すことである。他の解決法は公知の手段を使用してユニットがＲＧＢの出力以外に使用されていることを検出したとき、他方の動作モードに対応する値にそのビットを自動的に設定することである。
【００４４】
出力信号が直接ＲＧＢ信号であり、特定の基準によりコード化された信号ではないとき、回路の色のキャパシティを減少しないように一つの動作モードが保存される。勿論、与えられた基準にコード化された信号の発生においてのみ使用される特別の回路を設計することも可能である。
【００４５】
上述した例において、与えられた文字の全ての領域の色を決定するように使用される色属性は文字水準の属性である。実施例の変形例において、色属性は列の水準の属性に制限される。これは２つの利点を有し、列属性に必要なメモリの量を列毎の多数の文字によって分割し、文字の境界での色の欠陥が防止できる。
【図面の簡単な説明】
【図１】１２画素の１８ラインのマトリックスの形態の文字モデルの２つの例を示す説明図。
【図２】本発明による方法を利用する文字発生装置の機能的なブロック図。
【符号の説明】
６  クランプ回路
７  挿入部
８  複合エクストラクション回路
９  位相固定ループ
１０  垂直同期分離器
１１  アドレス発生器
１２  テキストＲＡＭ
１３  ＲＯＭ
１４  色
１５  輝度同期発生器
１８  制御回路
１９  コーダ
【図１】
0003778957.tif 000002
【図２】
0003778957.tif 000003